(57)【要約】【課題】閉鎖空間を形成する収納箱体Ａ内の収納物に起因して発生する所定濃度以上の臭い成分を特定し、それら全ての種類の臭い成分が低減されたことを実感できるようにする。【解決手段】収納物を収納する箱体本体１と、箱体本体１の開口１ａを開閉する扉１０とを備えた消臭収納箱体Ａにおいて、扉１０の裏面に消臭素子含有層１２が形成され、消臭素子含有層１２に、励起状態で臭い成分を分解する光触媒が露出した状態で設けられている。箱体本体１内の棚板８の前端面に、光触媒に励起状態になるように紫外線を照射する消臭紫外線ＬＥＤ装置１５が固定され、天板４の下面に、箱体本体１内の空気を励起状態になった光触媒に当たるように０．１ｍ／ｓ以上の風速で送る消臭送風装置１７が固定されている。収納箱体Ａは、内部の臭い成分を含む空気中に含まれる臭気強度３以上の特定臭い成分の全ての種類が光触媒との接触により臭気強度２以下に低減される性能を有する。【選択図】図２
2017176758.tif 000002
【特許請求の範囲】
【請求項１】
収納物を出し入れする開口を有する箱体本体と、該箱体本体の開口を開閉する扉とを備え、内部の臭い成分を含む空気を消臭するための消臭収納箱体であって、
上記箱体本体内に露出した状態で設けられ、励起状態で臭い成分を分解する光触媒と、
上記箱体本体内に配置され、上記光触媒に該光触媒が励起状態になるように紫外線を照射する消臭紫外線照射装置と、
上記箱体本体内の臭い成分を含む空気を、上記消臭紫外線照射装置により励起状態になった光触媒に当たるように所定以上の風速で送る消臭送風装置とを備え、
箱体本体内の臭い成分を含む空気中に含まれる臭気強度３以上の特定の臭い成分の全ての種類が、上記光触媒との接触により臭気強度２以下に低減される性能を有することを特徴とする消臭収納箱体。
【請求項２】
請求項１において、
箱体本体と扉との間の隙間を気密状にシールするパッキンと、
箱体本体内の臭気強度２以下に低減された臭い成分を含む空気を箱体本体外部に排出して箱体本体内を負圧にする排気装置と、
上記排気装置により負圧になった箱体本体内に箱体本体外部の空気を箱体本体内の収納物に当たるように導入して、該収納物から臭い成分を箱体本体内に放散させる外部空気導入路とを備え、
上記収納物から箱体本体内に放散された臭い成分を含む臭気強度３以上の臭い成分の全ての種類が、光触媒との接触により臭気強度２以下に低減される性能を有することを特徴とする消臭収納箱体。
【請求項３】
請求項１又は２において、
内部空間が互いに連通路を介して連通する複数の箱体本体を備えていることを特徴とする消臭収納箱体。
【請求項４】
請求項１〜３のいずれか１つにおいて、
扉の裏面に光触媒が設けられており、
箱体本体内に、収納物を載置支持する棚板が設けられ、
消臭紫外線照射装置は、上記棚板の前端部に、扉が閉じている状態で扉裏面の光触媒に紫外線を照射可能に配置されていることを特徴とする消臭収納箱体。
【請求項５】
請求項１〜３のいずれか１つにおいて、
箱体本体の背板前面に光触媒が設けられており、
箱体本体内に、収納物を載置支持する棚板が設けられ、
消臭紫外線照射装置は、上記棚板の後端部に、背板前面の光触媒に紫外線を照射可能に配置されていることを特徴とする消臭収納箱体。
【発明の詳細な説明】
【技術分野】
【０００１】
本発明は、内部に収納される収納物による臭い成分を消臭する消臭収納箱体に関する。
【背景技術】
【０００２】
従来、室内に施工されて室内の空気を消臭するための消臭建築材料として、特許文献１〜３に示されるものが知られている。特許文献１に示される消臭建築材料は、基材と、基材に接着剤を介して接着された化粧材とを備えた化粧板であり、その化粧材の透気度が特定され、接着剤中に無機系消臭剤が含有されている。
【０００３】
また、特許文献２には、壁材、天井材、内装材、建具等を支持体とし、その支持体に、炭層と活性炭層とが隣接して配置される汚染ガス吸収層を支持した消臭装置が提案されている。
【０００４】
さらに、特許文献３に示される消臭建築材料は間仕切りパネルであり、この間仕切りパネルでは、ペーパーコアの両面に合板が貼り合わされ、各合板の表面に消臭塗料によるコーティング層が形成されている。
【０００５】
一方、特許文献４には、光触媒を利用した消臭効果が得られ、室内の空気を消臭するための空気清浄機が提案されている。この空気清浄機では、吸気口及び排気口を有する本体ケース内に送風路が吸気口及び排気口に連通するように形成され、その送風路の上流端に送風機部材が設けられ、送風路の両側に、紫外線を出力するＵＶ光源と、そのＵＶ光源からの紫外線の照射により励起状態になる光触媒とが対向して配置されており、送風機部材により空気清浄機外の室内の空気を吸気口から送風路内に吸い込んで、その送風路内で空気中に光触媒によってフリーラジカルを生じさせ、そのフリーラジカルにより細菌等を分解して空気を清浄にしかつ消臭した後、その空気を排気口から室内に排出するようになっている。
【先行技術文献】
【特許文献】
【０００６】
【特許文献１】特開２００３−１１８０６３号公報
【特許文献２】特開２００５−８１０６６号公報
【特許文献３】特開平８−２３０１０８号公報
【特許文献４】実用新案登録第３１５４６７０号公報
【発明の概要】
【発明が解決しようとする課題】
【０００７】
ところで、特許文献１〜３に示されるように消臭に配慮した様々な建築材料が上市されているが、実際には、これらの建築材料を居室に施工したとしても、消臭効果が体感できることが殆どないのが現状である。これは、消臭効果を謳った建築材料の性能確認方法と、実際の使用状況との乖離によるものである。
【０００８】
一般に、消臭のメカニズムでは、化学消臭剤、光触媒、無機質多孔質吸着剤、化学吸着剤等の消臭剤に対し臭い成分（臭いの原因となる臭気物質）が接触したとき、化学消臭剤又は化学吸着剤であれば臭い成分の反応による化学変化が生じ、光触媒であれば臭い成分の酸化還元反応による分解が生じ、無機質多孔質吸着剤又は化学吸着剤であれば臭い成分が吸着されることで、臭いが低減されていく。別の観点から見ると、消臭効果のある建築材料を施工したとしても、その建築材料の消臭剤に、臭い成分を含む汚染された空気が接触しない限り、消臭効果が発揮されないことが明らかである。
【０００９】
一方、臭い成分は、その物質毎に検知閾値（臭い成分を感じる最低濃度）や臭気強度が異なり、空気中の臭い成分濃度を促成するために一般的に採用されている検知管により消臭試験で９０％以上、或いは１００％（検知管の検知限界濃度未満）の消臭効果でも、検知閾値が極めて低い臭い成分の場合は、臭いを感じてしまう場合がある。
【００１０】
例えばプロピオン酸、n-酪酸、n-吉草酸等は検知閾値が低く、プロピオン酸の文献上の検知閾値は０．００５７ｐｐｍであり、臭気強度３では０．０６９ｐｐｍである。n-酪酸の文献上の検知閾値は０．０００１９ｐｐｍであり、臭気強度３では０．００２４ｐｐｍである。また、n-吉草酸の文献上の検知閾値は０．００００３７ｐｐｍであり、臭気強度３では０．００１９ｐｐｍである。検知閾値とは、人間の感覚器官がその臭いを感じ始める濃度である。
【００１１】
さらに、臭いの原因となる物質は多種多様であり、実際の生活シーンで発生すると想定される悪臭は、それら多種類の臭い成分が混合した複合臭である。従って、複合した臭い成分のいくつかが消臭されても、それ以外の臭い成分が残っていれば、検知管で１００％消臭されたと仮定しても、結果的に消臭効果を体感することは困難である。
【００１２】
特に、収納物を収納する玄関収納用やクローク用等の収納箱体は、その内部が閉鎖された空間であり、その閉鎖空間に収納物が発する特定の臭い成分が充満するようになり、消臭効果の体感がより困難になる。
【００１３】
本発明は斯かる諸点に鑑みてなされたものであり、その目的は、内部に閉鎖空間を有する収納箱体の構成に工夫を加えることにより、収納箱体内の収納物に起因して発生する所定濃度以上の特定の臭い成分の種類を特定し、それら特定の臭い成分の全ての種類が低減又は消臭されたことを実感できるようにすることにある。
【課題を解決するための手段】
【００１４】
上記の目的を達成すべく、この発明では、内部に収納物を収納する収納箱体内に、励起状態で臭い成分を分解する光触媒を設け、その光触媒に専用の消臭紫外線照射装置により紫外線を照射して励起状態にするとともに、その光触媒に対し消臭専用の送風装置により収納箱体内の臭い成分を含む空気を強制的に当て、該収納箱体内の空気中の所定臭気強度以上の特定の臭い成分の全ての種類を光触媒に接触させ、その臭い成分の光触媒との接触機会を増やすようにした。
【００１５】
具体的には、第１の発明は、収納物を出し入れする開口を有する箱体本体と、この箱体本体の開口を開閉する扉とを備え、内部の臭い成分を含む空気を消臭するための消臭収納箱体であって、上記箱体本体内に露出した状態で設けられ、励起状態で臭い成分を分解する光触媒（消臭素子）と、上記箱体本体内に配置され、この光触媒に該光触媒が励起状態になるように紫外線を照射する消臭紫外線照射装置と、上記箱体本体内の臭い成分を含む空気を、上記消臭紫外線照射装置により励起状態になった光触媒に当たるように所定以上の風速で送る消臭送風装置とを備え、箱体本体内の臭い成分を含む空気中に含まれる臭気強度３以上の特定の臭い成分の全ての種類が、上記光触媒との接触により臭気強度２以下に低減される性能を有することを特徴とする。
【００１６】
この第１の発明では、収納物を収納する箱体本体内に消臭素子としての光触媒が露出した状態で設けられ、その光触媒に対し、紫外線を照射する消臭紫外線照射装置と、箱体本体内の臭い成分を含む空気を所定以上の風速で送って当てる消臭送風装置とが設けられているので、消臭紫外線照射装置からの紫外線が光触媒に照射されて光触媒が励起状態になり、その励起状態の光触媒に消臭送風装置から送風された臭い成分を含む空気が当たることで、その空気中に含まれる臭気強度３以上の特定臭い成分の全てが励起状態の光触媒に接触し、それら特定の臭い成分の全ての種類が光触媒により分解されて臭気強度３以上から臭気強度２以下に低減される。
【００１７】
そして、光触媒は消臭紫外線照射装置からの紫外線により確実に励起状態になり、かつ、その光触媒に箱体本体内の臭い成分を含む空気が消臭送風装置により強制的に送られて当たるので、箱体本体内の臭い成分を含む空気を満遍なく確実に光触媒に接触させることができる。よって、収納箱体内の空間が閉鎖された空間であっても、臭気強度３以上の特定臭い成分の全ての種類が臭気強度２以下に低減され、その閉鎖空間に収納物が発する特定の臭い成分が充満することはなく、収納箱体内の消臭効果を実感することができる。
【００１８】
第２の発明は、第１の発明において、箱体本体及び扉の間の隙間を気密状にシールするパッキンと、箱体本体内の臭気強度２以下に低減された臭い成分を含む空気を箱体本体外部に排出して箱体本体内を負圧にする排気装置と、この排気装置により負圧になった箱体本体内に箱体本体外部の空気を箱体本体内の収納物に当たるように導入して、該収納物から臭い成分を箱体本体内に放散させる外部空気導入路とを備え、上記収納物から箱体本体内に放散された臭い成分を含む臭気強度３以上の臭い成分の全ての種類が、光触媒との接触により臭気強度２以下に低減される性能を有することを特徴とする。
【００１９】
この第２の発明では、排気装置の作動により、箱体本体内の臭気強度２以下に低減された臭い成分を含む空気が箱体本体外部に排出され、この排出により箱体本体内が負圧にされる。箱体本体と扉との間の隙間はパッキンにより気密状にシールされているので、扉の閉じ状態では、箱体本体内の空間は外部空気導入路によって箱体本体外部と連通する。そして、排気装置により箱体本体内の空気が箱体本体外部に排出されて箱体本体内が負圧になったときに、この外部空気導入路を経て箱体本体外部の空気が箱体本体内に導入される。この導入された空気が箱体本体内の収納物に当たることで、その収納物から臭い成分が箱体本体内に放散され、この臭い成分を含む空気が消臭送風装置により励起状態の光触媒に送られて、臭い成分が分解され消臭される。また、この消臭された空気は上記排気装置により箱体本体外部に排出される。このことで、箱体本体から常に消臭された空気が出てくることになり、その空気には臭いが殆どなく、箱体本体外部に排出される空気の消臭効果を実感することができる。
【００２０】
第３の発明は、第１又は第２の発明において、内部空間が互いに連通路を介して連通する複数の箱体本体を備えていることを特徴とする。
【００２１】
この第３の発明では、複数の箱体本体が連通路を介して互いに連通しているので、各箱体本体の内部空間の空気は連通路を介して他の箱体本体の内部空間に移動できるようになる。このように複数の箱体本体であっても、それらの内部空間の間で臭い成分を含む空気を移動させ、それら複数の箱体本体全体における臭い成分を含む空気の消臭効果を高めることができる。
【００２２】
第４の発明は、第１〜第３の発明のいずれか１つにおいて、扉の裏面に光触媒が設けられている。また、箱体本体内に、収納物を載置支持する棚板が設けられ、消臭紫外線照射装置は、この棚板の前端部に、扉が閉じている状態で扉裏面の光触媒に紫外線を照射可能に配置されていることを特徴とする。
【００２３】
この第４の発明では、箱体本体内の棚板の前端部に消臭紫外線照射装置が配置され、この消臭紫外線照射装置が扉の閉じ状態で扉裏面の光触媒に照射されて、その光触媒が励起状態になる。こうすれば、消臭紫外線照射装置からの紫外線が棚板上の収納物に当たって収納物が傷むことがなくなり、光触媒と消臭紫外線照射装置との望ましい配置が得られる。
【００２４】
第５の発明は、第１〜第３の発明のいずれか１つにおいて、箱体本体の背板前面に光触媒が設けられている。また、箱体本体内に、収納物を載置支持する棚板が設けられ、消臭紫外線照射装置は、この棚板の後端部に、背板前面の光触媒に紫外線を照射可能に配置されていることを特徴とする。
【００２５】
この第５の発明では、箱体本体内の棚板の後端部に消臭紫外線照射装置が配置され、この消臭紫外線照射装置が背板前面の光触媒に照射されて、その光触媒が励起状態になる。こうしても、消臭紫外線照射装置からの紫外線が棚板上の収納物に当たって収納物が傷むことがなく、光触媒と消臭紫外線照射装置との望ましい配置が得られる。
【発明の効果】
【００２６】
以上説明したように、本発明によると、収納物を収納する収納箱体の内部に光触媒を露出した状態で設け、この光触媒を紫外線の照射により励起状態にする消臭紫外線照射装置と、箱体本体内の臭い成分を含む空気を、励起状態になった光触媒に当たるように所定以上の風速で送る消臭送風装置とを設け、箱体本体内の臭い成分を含む空気中に含まれる臭気強度３以上の特定の臭い成分の全ての種類を光触媒との接触により臭気強度２以下に低減するようにしたことにより、収納箱体内の空気を強制的に励起状態の光触媒に接触させて、その空気中に含まれる特定の臭い成分の全ての種類を臭気強度２以下へ低減して大きな消臭効果が得られ、よって収納箱体内の閉鎖空間に収納物による特定の臭い成分の充満を防いで、収納箱体内の消臭効果を実感し得るようにすることができる。
【図面の簡単な説明】
【００２７】
【図１】図１は、本発明の実施形態１に係る消臭収納箱体の全体構成を示す斜視図である。
【図２】図２は、図１のII−II線拡大断面図である。
【図３】図３は、光触媒が扉裏面に、また紫外線ＬＥＤが棚板の前端部にそれぞれ設けられた構造を拡大して示す断面図である。
【図４】図４は、光触媒が背板前面に、また紫外線ＬＥＤが棚板の後端部にそれぞれ設けられた構造を拡大して示す断面図である。
【図５】図５は、箱体本体の開口周縁部にシール用のパッキンが固定された状態を示す正面図である。
【図６】図６は、本発明の実施形態２に係る消臭収納箱体の全体構成を示す断面図である。
【発明を実施するための形態】
【００２８】
以下、本発明の実施形態を図面に基づいて詳細に説明する。以下の実施形態の説明は、本質的に例示に過ぎず、本発明、その適用物或いはその用途を制限することを意図するものでは全くない。
【００２９】
（実施形態１）
図１は、本発明の実施形態１に係る消臭収納箱体Ａの全体構成を示す。この消臭収納箱体Ａは、例えば収納物として衣類を収納するための衣類用収納箱体、建物の玄関等において靴等の履き物（収納物）を収納する履き物用収納箱体、ペットやペット用品（収納物）を収納するペット用収納箱体等として用いられ、内部の臭い成分を含む空気を消臭するようになっている。以下の説明では、主として衣類用収納箱体として説明するが、他の用途の収納箱体でも同様の構成である。
【００３０】
衣類用としての上記消臭収納箱体Ａは、通常一般の収納箱体と同様の構造のものであり、衣類（収納物）を出し入れする左右の開口１ａ，１ａを有する箱体本体１と、この箱体本体１の開口１ａ，１ａをそれぞれ開閉する左右の扉１０，１０とを備えている。
【００３１】
図１及び図２に示すように、箱体本体１は、左右の側板３，３と、これら両側板３，３の上端部間に架け渡されて連結された天板４と、両側板３，３の下端部間に架け渡されて連結された底板５と、周縁部が側板３，３、天板４及び底板５の後端部間に連結された背板６と、天板４及び底板５間に側板３，３と平行に配置されて固定された仕切り板７とを備え、左側側板３の前端、天板４の左半部の前端、底板５の左半部の前端及び仕切り板７の前端に囲まれる部分に左側の開口１ａが、また右側側板３の前端、天板４の右半部の前端、底板５の右半部の前端及び仕切り板７の前端に囲まれる部分に右側の開口１ａがそれぞれ形成されている。
【００３２】
上記左側の扉１０は左側の側板３の前端部に、また右側の扉１０は右側の側板３の前端部にそれぞれ揺動可能に支持されており、左側の扉１０を開いたときに左側の開口１ａが、また右側の扉１０を開いたときに右側の開口１ａがそれぞれ開放されるようになっている。
【００３３】
箱体本体１の内部には、衣類（収納物）を載置支持する複数枚の棚板８，８，…が上下方向に並んで多段に配置され、各棚板８の左右端部はそれぞれ左側及び右側の側板３，３と仕切り板７とに支持されている。
【００３４】
本発明の特徴として、図２に示すように、収納箱体Ａの内部において、箱体本体１内に面している各扉１０の裏面には消臭素子含有層１２が形成され、この消臭素子含有層１２には、図示しないが消臭素子としての光触媒が箱体本体１内に露出して室内空気と接触可能な状態で含まれている。この扉１０裏面の消臭素子含有層１２における光触媒は、紫外線の照射により励起状態になり、臭い成分をラジカル分解するもので、例えば二酸化チタン（ＴｉＯ２）や酸化タングステン、チタン酸ストロンチウム、硫化亜鉛、窒化ガリウム、酸化ガリウム等が用いられる。この光触媒を扉１０の裏面に露出した状態で設ける場合、例えば光触媒を塗料に混ぜて塗布して扉１０裏面に塗膜を形成したり、光触媒を繊維に吹き付け、その繊維を扉１０裏面に貼り付けたり、或いは光触媒を粉体で扉１０裏面に固着したりして設けられている。
【００３５】
尚、この光触媒の特徴は、分解による消臭速度が遅く、消臭容量も小さい反面、紫外線がある限り臭い成分を分解できるので、半永久的な消臭が可能であり、持続性が高い。
【００３６】
また、上記箱体本体１の内部には、扉１０裏面の消臭素子としての光触媒を励起状態にするための紫外線を照射する消臭紫外線照射装置としての複数の専用のＵＶ−ＬＥＤ１５が配置されている。具体的には、図２及び図３に示すように、ＵＶ−ＬＥＤ１５，１５，…は、各棚板８（一部の棚板８，８，…であってもよい）の前端面や天板４下面の前端部に固定されており、各扉１０が閉じている状態で各ＵＶ−ＬＥＤ１５をＯＮ作動させることで、そのＵＶ−ＬＥＤ１５から紫外線を出力させ、その紫外線を扉１０裏面の光触媒に照射して光触媒を励起状態にするようにしている。
【００３７】
尚、光触媒を含む消臭素子含有層１２は、扉１０の裏面に代え、図４に示すように背板６前面に上記と同様にして設けることもできる。その場合、ＵＶ−ＬＥＤ１５，１５，…は、棚板８の前端面及び天板４下面の前端部に代えて、棚板８の後端面や天板４下面の後端部に固定することができる。
【００３８】
さらに、箱体本体１の内部には、扉１０裏面（又は背板６前面）の消臭素子含有層１２における光触媒に箱体本体１内部の臭い成分を含む空気を接触させるためのファン装置等からなる専用の消臭送風装置１７が設けられている。この消臭送風装置１７は例えば天板４の下面に固定されており、消臭送風装置１７により箱体本体１の内部の臭い成分を含む空気を該箱体本体１内で循環させ、その臭い成分を含む空気をＵＶ−ＬＥＤ１５による紫外線の照射により励起状態になった光触媒に所定以上の風速で送って吹き当てるようになっている。その風速は、光触媒に臭い成分を含む空気が連続して接触できる程度であればよく、例えば０．１ｍ／ｓ以上が好ましい。
【００３９】
消臭送風装置１７は、常時作動状態（送風状態）に保たれて箱体本体１内部の臭い成分を含む空気を絶えず光触媒に吹き当てるようにしてもよい。その他、図示しないが、例えば、箱体本体１内部の臭い成分を検出するセンサを設けて、そのセンサにより臭気強度３以上の臭い成分が検出されたときのみに消臭送風装置１７を送風作動するようにしたり、１日のうちの特定時間帯に消臭送風装置１７により送風するようにしたり、或いは各扉１０の開閉を検知して、その後に一定時間送風するようにしたりしてもよい。
【００４０】
また、上記ＵＶ−ＬＥＤ１５は、消臭送風装置１７と連動して作動するのが好ましく、ＵＶ−ＬＥＤ１５を常時作動状態にして光触媒に紫外線を照射するようにしたり、臭い成分を検出するセンサを設けて、そのセンサによる臭い成分の検出時にＵＶ−ＬＥＤ１５を作動するようにしたり、１日のうちの特定時間帯にＵＶ−ＬＥＤ１５により紫外線を照射するようにしたり、扉１０の開閉を検知して、その後に一定時間照射するようにしたりすればよい。
【００４１】
上記消臭送風装置１７及びＵＶ−ＬＥＤ１５は、外部商用電源、乾電池、充電可能な蓄電池、太陽電池等の各種電源からの電力を受けて作動するようにすることができる。
【００４２】
そして、消臭収納箱体Ａは、光触媒がＵＶ−ＬＥＤ１５からの紫外線によって励起状態となり、その励起状態の光触媒に、箱体本体１内部の臭い成分を含む空気が消臭送風装置１７により送られて所定以上の風速で吹き当てられたときに、衣類（収納物）から箱体本体１内に放散されて該箱体本体１内の空気中に含まれる消臭収納箱体Ａ特有の臭い成分であって、臭気強度３以上の臭気物質からなる臭い成分の全ての種類が、該臭い成分の上記光触媒との接触により臭気強度２以下に低減される（臭気強度１以下に低減されるときは「消臭」される）性能を有している。
【００４３】
上記臭気強度とは、例えば一般社団法人繊維評価技術協議会におけるＳＥＫマーク繊維製品認証基準の消臭加工に基づいて設定される強度であり、以下のように設定される。
【００４４】
対象となる全ての臭い成分の臭気物質の各々について溶剤に溶かし、その溶液をサンプル瓶に滴下してサンプル瓶内で所定濃度のガスを生成し、そのサンプル瓶内の臭気の有無を官能評価する。
【００４５】
この官能評価では、複数の官能評価実施者について、予め、Ｔ＆Ｔオルファクトメータを用いてβ-フェニルエチルアルコール（バラ臭）、メチルシクロペンテノロン（カラメル臭）、Iso-吉草酸（靴下臭）、Υ-ウンデカラクトン（桃臭）及びスカトール（糞便臭）の５つの臭気により嗅覚異常がないことを確認した後、それら複数の官能評価実施者が各サンプル瓶内のガスの臭いを嗅いだときに感じる程度を臭気強度１〜５として設定している。
【００４６】
すなわち、臭気強度１は「やっと感知できるにおい」であり、臭気強度２は「何のにおいであるかがわかる弱いにおい」であり、臭気強度３は「らくに感知できるにおい」であり、臭気強度４は「強いにおい」であり、臭気強度５は「強烈なにおい」である。従って、臭気強度３以上とは「容易に臭気を感じる」程度である。
【００４７】
上記衣類用の消臭収納箱体Ａ内部の空気中に含まれる臭い成分（臭気物質）は体臭及び高齢者臭を含んでおり、例えばプロピオン酸、アセトアルデヒド、ノナナール、t-2-ノネナール、酢酸、Iso-吉草酸、カプロン酸（ヘキサン酸）、アンモニア、インドールの９種類の臭気物質が複合されたものである。
【００４８】
尚、消臭収納箱体Ａが、履き物を収納する履き物用収納箱体である場合、その内部の空気中に含まれる臭い成分（臭気物質）は靴下臭を含んでおり、例えばn-酪酸、Iso-酪酸、n-吉草酸、Iso-吉草酸、硫化水素の５種類の臭気物質が複合されたものである。
【００４９】
また、消臭収納箱体Ａが、ペットやペット用品を収納するペット用収納箱体である場合、その内部の空気中に含まれる臭い成分（臭気物質）はペット臭であり、例えばホルムアルデヒド、アセトアルデヒド、酢酸、プロピオン酸、n-酪酸、Iso-酪酸、カプロン酸（ヘキサン酸）、アンモニア、メチルメルカプタン、硫化水素、硫化メチル、二硫化メチル、トリメチルアミンの１３種類の臭気物質が複合されたものである。
【００５０】
図５に示すように、箱体本体１における側板３，３、天板４、底板５及び仕切り板７の前端面には左右のパッキン１９，１９が取り付けられ、この各パッキン１９により、各扉１０が閉じ位置にあるときに箱体本体１と扉１０との間の隙間を気密状にシールするようになっている。
【００５１】
また、図１に示すように、箱体本体１の内部には、上記のように箱体本体１内の臭気強度２以下に低減された臭い成分を含む空気を強制的に箱体本体１外部に側板３の排気口３ａから排出する例えばブロワ等の排気装置２１が設けられており、この排気装置２１による空気の排気により箱体本体１内を負圧にするようにしている。尚、排気装置２１は箱体本体１の外部に設けてもよい。
【００５２】
さらに、図２に示すように、例えば背板６には、棚板８，８，…の位置と異なる高さ位置にスリットからなる複数の外部空気導入路２３，２３，…が貫通形成されており、上記排気装置２１により箱体本体１内が負圧になったときに、その箱体本体１外との圧力差により箱体本体１内に箱体本体１外部の空気を外部空気導入路２３，２３，…を通して箱体本体１内に導入するようにしている。そして、各外部空気導入路２３（スリット）は、例えば前側に向かって上方に向かうように前上がりに傾斜していて、その中心線方向が箱体本体１内の棚板８上の収納物（衣類）に向くように設定されており、外部空気導入路２３から箱体本体１内に導入された導入空気（外部空気）を棚板８上の収納物に直接又は間接に当て、その収納物から臭い成分を箱体本体１内に放散させるようにしている。尚、外部空気導入路２３，２３，…は背板６以外の箱体本体１に設けてもよく、或いは扉１０，１０に設けることができる。
【００５３】
したがって、この実施形態においては、収納物を収納する収納箱体Ａの各扉１０の裏面に消臭素子含有層１２が形成され、この消臭素子含有層１２に消臭素子としての光触媒が露出した状態で設けられ、その光触媒に紫外線を照射する専用のＵＶ−ＬＥＤ１５と、光触媒に箱体本体１内の臭い成分を含む空気を送って当てる専用の消臭送風装置１７とが設けられているので、扉１０が閉じ位置にある状態で、ＵＶ−ＬＥＤ１５の作動により紫外線が光触媒に照射されて光触媒が励起状態になり、その励起状態の光触媒に箱体本体１内の臭い成分を含む空気が消臭送風装置１７から送風されて当たると、それに伴い、その臭い成分を含む空気中に含まれる臭気強度３以上の特定臭い成分の全ての種類が励起状態の光触媒に接触し、それら特定の臭い成分の全ての種類が光触媒により分解されて臭気強度３以上から低減されて、「臭いを感じるがそれは弱い」程度の臭気強度２になるか、或いはさらに「臭いを感じない」臭気強度１以下になって消臭される。
【００５４】
そのとき、光触媒はＵＶ−ＬＥＤ１５からの紫外線によって確実に励起状態になり、しかも、その光触媒に対し箱体本体１内の臭い成分を含む空気が消臭送風装置１７により強制的に送られて当たるので、箱体本体１内の臭い成分を含む空気を満遍なく確実に光触媒に接触させることができる。このように、収納箱体Ａ内の空間が閉鎖された空間であっても、臭気強度３以上の特定臭い成分の全ての種類を臭気強度２以下に低減でき、その閉鎖空間に収納物が発する特定の臭い成分が充満することはなく、扉１０，１０を開けたときでも収納箱体Ａ内の消臭効果を実感することができる。
【００５５】
具体的には、消臭収納箱体Ａが衣類を収納する衣類用収納箱体であると、その内部の空気中に含まれる特定の臭い成分は衣類から生じる体臭及び高齢者臭を含むが、それら衣類用収納箱体特有の特定臭い成分の全ての種類が臭気強度２以下に低減され、衣類用収納箱体の消臭効果を実感することができる。
【００５６】
また、消臭収納箱体Ａが履き物を収納する履き物用収納箱体である場合、その内部の空気中に含まれる特定の臭い成分は履き物から生じる靴下臭を含むが、この履き物用収納箱体特有の特定臭い成分の全ての種類が臭気強度２以下に低減され、履き物用収納箱体の消臭効果を実感することができる。
【００５７】
さらに、消臭収納箱体Ａがペット又はペット用品を収納するペット用収納箱体であると、その内部の空気中に含まれる特定の臭い成分は、ペットやペット用品から発生するペット臭を含むが、このペット用収納箱体特有の特定臭い成分の全ての種類が臭気強度２以下に低減され、ペット用収納箱体の消臭効果を実感することができる。
【００５８】
また、図３に示すように、上記光触媒が各扉１０の裏面に設けられ、ＵＶ−ＬＥＤ１５は、この光触媒に紫外線を照射するように箱体本体１内の棚板８の前端面及び天板４下面の前端部に配置されているので、この消臭紫外線ＬＥＤ装置１５からの紫外線が閉じ状態の扉１０裏面の光触媒に照射されたとしても、その紫外線が棚板８上の収納物に当たることはなく、収納物が紫外線によって傷むことがない。
【００５９】
尚、図４に示すように、箱体本体１の背板６前面に光触媒が設けられ、棚板８下面の後端部に外線照射ＬＥＤ装置１５が配置されていても、消臭紫外線照射装置からの紫外線が収納物に当たって収納物が傷むことはない。いずれの場合でも、光触媒と消臭紫外線ＬＥＤ装置１５との望ましい配置が得られる。
【００６０】
さらに、各扉１０が閉じているときに排気装置２１が作動することにより、箱体本体１内の臭気強度２以下に低減された臭い成分を含む空気が箱体本体１外部に排出され、この排出により箱体本体１内が負圧にされる。すなわち、消臭収納箱体Ａにおける箱体本体１と各扉１０との間の隙間はパッキン１９により気密状にシールされているので、排気装置２１により箱体本体１内の空気が箱体本体１外部に排出されると、箱体本体１内が負圧になる。そして、箱体本体１の背板６には外部空気導入路２３が設けられ、箱体本体１内の空間は、各扉１０の閉じ状態では外部空気導入路２３のみによって箱体本体１外部と連通しているので、排気装置２１により箱体本体１内が負圧になると、この外部空気導入路２３を経て箱体本体１外部の空気が箱体本体１内に導入される。この導入された空気は箱体本体１内の棚板８上の収納物に当たるようになり、そのことで、収納物から臭い成分が箱体本体１内に放散される。この臭い成分を含む空気は、消臭送風装置１７により励起状態の光触媒に送られて、臭い成分が分解され消臭される。この消臭された空気は上記排気装置２１により再び箱体本体１外部に排出される。このことで、排気装置２１により箱体本体１から常に消臭された空気が出てくることになり、その空気には臭いが殆どなく、箱体本体１外部に排出される空気であってもその消臭効果を実感することができる。
【００６１】
（実施形態２）
図６は本発明の実施形態２を示し（尚、図１〜図５と同じ部分については同じ符号を付してその詳細な説明は省略する）、消臭収納箱体Ａの構造を変更したものである。
【００６２】
すなわち、この実施形態では、図６に示すように、消臭収納箱体Ａは左右に並べて配置された複数（図示例では３つ）の箱体本体１，１，…を備え、各箱体本体１は、上記実施形態１と同様のもので、その内部に収納物を収納するようになっている。
【００６３】
また、各箱体本体１の例えば側板３，３のうち、隣接する箱体本体１側に位置する側板３には開口部２５が形成されている。そして、隣接する２つの箱体本体１，１の開口部２５，２５間には内部に連通路２６を有する連通管２７が気密状に嵌合されており、複数の箱体本体１，１，…は内部空間が連通路２６を介して互いに連通している。その他の構成は実施形態１と同様である。
【００６４】
この実施形態の場合、複数の箱体本体１，１，…が連通路２６を介して互いに連通しているので、各箱体本体１の内部空間の臭い成分を含む空気が連通路２６を介して他の箱体本体１の内部空間に移動できるようになる。このように複数の箱体本体１，１，…であっても、それらの内部空間の間で臭い成分を含む空気を移動させ、それら複数の箱体本体１，１，…全体における臭い成分を含む空気の消臭効果を高めることができる。
【００６５】
特に、いずれか１つの箱体本体１に排気装置２１が設けられていると、その排気装置２１によって負圧になった内部空間と他の箱体本体１の内部空間との圧力差により、その他の箱体本体１内の臭い成分を含む空気が連通路２６を介して引き寄せられるようになり、複数の箱体本体１，１，…の内部空間の間での臭い成分を含む空気の移動を促進することができる。
【００６６】
（その他の実施形態）
尚、上記実施形態では、消臭収納箱体Ａとして、衣類用、履き物用及びペット用の各収納箱体を例示しているが、本発明は、これらとは異なる収納物を収納する他の用途の収納箱体にも適用することができるのは勿論である。
【産業上の利用可能性】
【００６７】
本発明は、収納箱体内の臭い成分を含む空気中に含まれる臭気強度３以上の特定臭い成分の全ての種類を臭気強度２以下に低減できるので、消臭収納箱体の分野で極めて有用である。
【符号の説明】
【００６８】
Ａ  消臭収納箱体
１  箱体本体
１ａ  開口
６  背板
８  棚板
１０  扉
１２  消臭素子含有層
１５  ＵＶ−ＬＥＤ（消臭紫外線照射装置）
１７  消臭送風装置
１９  パッキン
２１  排気装置
２３  外部空気導入路
２６  連通路
【図１】
2017176758.tif 000003
【図２】
2017176758.tif 000004
【図３】
2017176758.tif 000005
【図４】
2017176758.tif 000006
【図５】
2017176758.tif 000007
【図６】
2017176758.tif 000008